【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
複数のピクチャデータからなる動画データと動画データ内の再生区間を特定する再生区間情報が記録された光ディスクについての記録装置であって、
動画データの内部から２つの再生区間を示す第１の再生区間情報と第２の再生区間情報を特定する操作を、操作者から受け付ける受付手段と、
動画データにおいて前記第１の再生区間情報における所定数のピクチャデータで構成される終端近傍部と、前記第２の再生区間情報における所定数のピクチャデータで構成される先端近傍部とを複製して、複製部分を得る複製手段と、
複製部分と、当該複製部分の再生区間を特定する一時的区間情報との組みを光ディスクに記録することができた場合、オンに設定されたステータス情報を光ディスクに書き込み、前記組みを光ディスクに書き込むことができなかった場合、オフに設定されたステータス情報を光ディスクに書き込む書込手段とを備え、
前記複製部分は、前記第１の再生区間情報における所定数のピクチャデータで構成される終端近傍部と、前記第２の再生区間情報における所定数のピクチャデータで構成される先端近傍部とを複製することにより得られたピクチャデータの集まりであり、
前記第１の再生区間情報及び第２再生区間情報は、前記ステータス情報がオンに設定されている場合、前記第１の再生区間情報は前記一時的区間情報へのリンク情報を含んでおり、前記第１の再生区間情報における所定数のピクチャデータで構成される終端近傍部以前の部分と、前記第２の再生区間情報における所定数のピクチャデータで構成される先端近傍部以降の部分とを、前記リンク情報によって示された前記一時的区間情報における前記複製部分を経由して再生させる再生経路を再生装置に提示し、
前記ステータス情報がオフに設定されている場合、前記複製部分を経由せずに前記第１の再生区間情報の再生区間及び前記第２の再生区間情報の再生区間を順次再生させる再生経路を再生装置に提示する、ことを特徴とする記録装置。
【請求項２】
動画データと、動画データの内部から２つの再生区間を示す第１の再生区間情報と第２の再生区間情報と、前記第１の再生区間情報における所定数のピクチャデータで構成される終端近傍部と前記第２の再生区間情報における所定数のピクチャデータで構成される先端近傍部とから複製された複製部分と、フラグと、が記録された光ディスクについての再生装置であって、
前記終端近傍部は、先行する側の再生区間において、終端部に位置する所定数のピクチャデータで構成され、
前記先端近傍部は、後続する側の再生区間において、先端部に位置する所定数のピクチャデータで構成され、
フラグを参照する参照手段と、
前記フラグがオンを示している場合、前記第１の再生区間情報は前記複製部分の再生区間を特定する一時的区間情報へのリンク情報を含んでおり、前記第１の再生区間情報における所定数のピクチャデータで構成される終端近傍部以前の部分と、前記第２の再生区間情報における所定数のピクチャデータで構成される先端近傍部以降の部分とを、前記リンク情報によって示された前記一時的区間情報における前記複製部分を経由して再生し、
前記フラグがオフを示している場合、前記複製部分を経由せずに前記第１の再生区間情報の再生区間及び前記第２の再生区間情報の再生区間を順次再生する再生手段と
を備えることを特徴とする再生装置。
【請求項３】
複数のピクチャデータからなる動画データと動画データ内の再生区間を特定する再生区間情報が記録された光ディスクについての記録方法であって、
動画データの内部から２つの再生区間を示す第１の再生区間情報と第２の再生区間情報を特定する操作を、操作者から受け付ける受付ステップと、
動画データにおいて前記第１の再生区間情報における所定数のピクチャデータで構成される終端近傍部と、前記第２の再生区間情報における所定数のピクチャデータで構成される先端近傍部とを複製して、複製部分を得る複製ステップと、
複製部分と、当該複製部分の再生区間を特定する一時的区間情報との組みを光ディスクに記録することができた場合、オンに設定されたステータス情報を光ディスクに書き込み、前記組みを光ディスクに書き込むことができなかった場合、オフに設定されたステータス情報を光ディスクに書き込む書込ステップとを有し、
前記複製部分は、前記第１の再生区間情報における所定数のピクチャデータで構成される終端近傍部と、前記第２の再生区間情報における所定数のピクチャデータで構成される先端近傍部とを複製することにより得られたピクチャデータの集まりであり、
前記第１の再生区間情報及び第２の再生区間情報は、
前記ステータス情報がオンに設定されている場合、前記第１の再生区間情報は前記一時的区間情報へのリンク情報を含んでおり、前記第１の再生区間情報における所定数のピクチャデータで構成される終端近傍部以前の部分と、前記第２の再生区間情報における所定数のピクチャデータで構成される先端近傍部以降の部分とを、前記リンク情報によって示された前記一時的区間情報における前記複製部分を経由して再生する旨を再生装置に示し、
前記ステータス情報がオフに設定されている場合、前記複製部分を経由せずに前記第１の再生区間情報の再生区間及び前記第２の再生区間情報の再生区間を順次再生する旨を再生装置に示す、ことを特徴とする記録方法。
【手続補正２】
【補正対象書類名】明細書
【補正対象項目名】発明の名称
【補正方法】変更
【補正の内容】
【発明の名称】記録装置、再生装置、記録方法
【手続補正３】
【補正対象書類名】明細書
【補正対象項目名】０００４
【補正方法】変更
【補正の内容】
【０００４】
これに対して一般大衆が接する機会の多い映画やTV放送の動画像では、再生区間の繋ぎめに視覚効果の上の様々な工夫が施されており、仮編集の成果物たる再生区間は、プロが制作した編集成果物の完成度からは程遠く、ユーザに物足りなさを感じさせている。本発明の目的は、編集失敗時のリカバリーを保証しつつも、再生区間の繋ぎめにおいて様々な加工を施せるように動画データを記録しておくことができる記録装置を提供することである。
【手続補正４】
【補正対象書類名】明細書
【補正対象項目名】０００５
【補正方法】変更
【補正の内容】
【０００５】
上記課題を解決するため、本発明にかかる記録装置は複数のピクチャデータからなる動画データと動画データ内の再生区間を特定する再生区間情報が記録された光ディスクについての記録装置であって、動画データの内部から２つの再生区間を示す第１の再生区間情報と第２の再生区間情報を特定する操作を、操作者から受け付ける受付手段と、動画データにおいて前記第１の再生区間情報における所定数のピクチャデータで構成される終端近傍部と、前記第２の再生区間情報における所定数のピクチャデータで構成される先端近傍部とを複製して、複製部分を得る複製手段と、複製部分と、当該複製部分の再生区間を特定する一時的区間情報との組みを光ディスクに記録することができた場合、オンに設定されたステータス情報を光ディスクに書き込み、前記組みを光ディスクに書き込むことができなかった場合、オフに設定されたステータス情報を光ディスクに書き込む書込手段とを備え、前記複製部分は、前記第１の再生区間情報における所定数のピクチャデータで構成される終端近傍部と、前記第２の再生区間情報における所定数のピクチャデータで構成される先端近傍部とを複製することにより得られたピクチャデータの集まりであり、前記第１の再生区間情報及び第２再生区間情報は、前記ステータス情報がオンに設定されている場合、前記第１の再生区間情報は前記一時的区間情報へのリンク情報を含んでおり、前記第１の再生区間情報における所定数のピクチャデータで構成される終端近傍部以前の部分と、前記第２の再生区間情報における所定数のピクチャデータで構成される先端近傍部以降の部分とを、前記リンク情報によって示された前記一時的区間情報における前記複製部分を経由して再生させる再生経路を再生装置に提示し、前記ステータス情報がオフに設定されている場合、前記複製部分を経由せずに前記第１の再生区間情報の再生区間及び前記第２の再生区間情報の再生区間を順次再生させる再生経路を再生装置に提示する、ことを特徴としている。
【手続補正５】
【補正対象書類名】明細書
【補正対象項目名】０００６
【補正方法】変更
【補正の内容】
【０００６】
以上説明したように本発明に係る記録装置は、上述したような構成を有しているので、この複製部分に対して視覚効果上の様々な加工を施すことができる。編集に成功した場合、フラグをオンに設定して、再生装置に先行再生区間における終端近傍部以前の部分と、後続再生区間の先端近傍部以降の部分とを、複製部分を経由して再生させる。これによりユーザは自分が実施した編集成果を再生させて、悦に浸ることができる。